(57)【要約】【課題】上側に上側開口部を有するごみ箱本体と、その上側開口部を覆う上蓋とを有するごみ箱において、ごみ箱本体に内設されたごみ袋の余り端部を隠すことのできる構造を備えるごみ箱を提供する。【解決手段】上側に上側開口部を有するごみ箱本体１０と、その上側開口部を覆う上蓋４とを有するごみ箱１であって、ごみ箱本体１０は、外殻部分を構成する外箱体３と、その外箱体３に内設される内箱体２とを有する。そして内箱体２内にごみ袋５が設置され、内箱体２の上端縁に沿って折返されるごみ袋５の余り端部５ａが、外箱体３と内箱体２の間に形成された差込隙間１１に差込まれる構成である。また上蓋４には、ごみ袋５の余り端部５ａを押えるために、差込隙間１１に差込まれる差込部４２が設けられている。【選択図】        図１
2004299898.tif 000002
【特許請求の範囲】
【請求項１】
上側に上側開口部を有するごみ箱本体と、その上側開口部を覆う上蓋とを有するごみ箱であって、
前記ごみ箱本体は、外殻部分を構成する外箱体と、その外箱体に内設される内箱体とを有し、前記内箱体内にごみ袋が設置され、前記内箱体の上端縁に沿って折返される前記ごみ袋の余り端部が、前記外箱体と前記内箱体の間に形成された差込隙間に差込まれる構成であって、
前記上蓋には、前記ごみ袋の余り端部を押えるために、前記差込隙間に差込まれる差込部が設けられていることを特徴とするごみ箱。
【請求項２】
請求項１に記載のごみ箱であって、
内箱体は、外箱体に対して抜き差し容易とするために、前記外箱体に内設された状態において前記内箱体の上端が前記外箱体の上端よりも高くなる構成であるとともに、前記内箱体の上端寄りには、前記外箱体に対して抜き差しされる際に把持される把持部が設けられていることを特徴とするごみ箱。
【請求項３】
請求項１または２に記載のごみ箱であって、
外箱体は、筒状の外筒部と、その外筒部の底面を塞ぐ外底部とを有し、内箱体は、筒状の内筒部と、その内筒部の底面を塞ぐ内底部とを有し、
上蓋は、前記外箱体の上側開口部を覆い、かつ前記内箱体の上側開口部を覆う蓋本体を有し、その蓋本体の外周縁には、前記外箱体の上端部外周面を覆う覆い部を有し、前記蓋本体の裏面には、差込部を有し、その差込部が前記内箱体の上端部外周面を覆う構造になっていることを特徴とするごみ箱。
【請求項４】
請求項１から３のいずれかに記載のごみ箱であって、
外箱体に錘が設けられていることを特徴とするごみ箱。
【発明の詳細な説明】
【０００１】
【発明の属する技術分野】
本発明は、上側に上側開口部を有するごみ箱本体と、その上側開口部を覆う上蓋とを有するごみ箱に関する。
【０００２】
【従来の技術】
従来、様々な構成を有するごみ箱が知られていた。例えば特許文献１，２に開示されたごみ箱が知られていた。
特許文献１に係るごみ箱は、内箱体と外箱体を有した二重構造になっていた。内箱体は、筒状の筒部と、その筒部の底面を塞ぐ底部とを有しており、上側には上側開口部を備えていた。外箱体は、筒状に構成されており、内箱体の外周面を覆い隠す構造であった。そして外筒体の上側開口部には、上側開口部に沿って環状に形成された冠部材が取付けられていた。冠部材は、外筒体の外周縁から中央側へ張出しており、内箱体の上側開口部の外周縁を覆い隠す構造であった。
【０００３】
また内箱体には、ごみ袋が内設され、ごみ袋の余り端部は、内箱体の上端縁に沿って折返されていた。そしてごみ袋の余り端部は、外筒体と冠部材によって覆い隠されていた。したがって特許文献１に係るごみ箱は、ごみ袋の余り端部を隠すことができる装飾性の高い構成になっていた。
特許文献２に係るごみ箱は、上側に上側開口部を有するごみ箱本体を有する。そしてごみ箱本体の上側開口部寄りには、口枠体が内設されていた。そして口枠体には、ごみ袋の開口端部（余り端部）が掛け止められていた。そしてごみ袋が、ごみ箱本体内に垂下されていた。そしてごみ箱本体の上側開口部には、上側開口部に沿って環状に形成された飾り蓋が取付けられており、飾り蓋がごみ箱本体の上側開口部の周縁を覆い隠す構造であった。したがって特許文献２に係るごみ箱も、ごみ袋の余り端部を隠すことができる装飾性の高い構成になっていた。
【０００４】
【特許文献１】
特開平８−５３２０４号公報
【特許文献２】
特開平１０−１７１０５号公報
【０００５】
【発明が解決しようとする課題】
しかし特許文献１，２は、本発明のように上蓋を有する構造ではなかった。すなわち特許文献１，２に係るごみ箱は、上側に上側開口部を有し、その上側開口部が常に開口しているごみ箱であった。そして従来、上側開口部を覆う上蓋を有するごみ箱も知られていた。しかしこの種のごみ箱は、装飾性に重点を置いた構成を有するものが少なかった。例えば、特許文献１，２に係るごみ箱のようにごみ袋の余り端部を隠すための構造を有するごみ箱は、従来ほとんど知られていなかった。
そこで本発明は、上側に上側開口部を有するごみ箱本体と、その上側開口部を覆う上蓋とを有するごみ箱において、ごみ箱本体に内設されたごみ袋の余り端部を隠すことのできる構造を備えるごみ箱を提供することを課題とする。
【０００６】
【課題を解決するための手段】
前記課題を解決するために本発明は、上記各請求項に記載の通りの構成を備えるごみ箱であることを特徴とする。
請求項１に記載の発明によれば、ごみ箱本体は、外殻部分を構成する外箱体と、その外箱体に内設される内箱体とを有する。そして内箱体内にごみ袋が設置され、内箱体の上端縁に沿って折返されるごみ袋の余り端部が、外箱体と内箱体の間に形成された差込隙間に差込まれる構成である。また上蓋には、ごみ袋の余り端部を押えるために、差込隙間に差込まれる差込部が設けられている。
【０００７】
すなわちごみ箱本体は、外箱体と内箱体との間にごみ袋の余り端部が差込まれる差込隙間を有する。そして上蓋には、ごみ袋の余り端部を押える差込部が設けられている。
したがってごみ袋の余り端部は、差込隙間に差込まれることで、外箱体の内側に配置され、外側から見えなくなる。そのため本発明に係るごみ箱は、ごみ袋の余り端部（特に余り端部の先端部）を隠すための構造を備え、装飾性の高い構成になっている。
また上蓋には、差込部が設けられており、差込部は、ごみ袋の余り端部を押える。そのためごみ袋の余り端部は、差込部によって差込隙間内に安定良く保持される。
【０００８】
請求項２に記載の発明によると、内箱体は、外箱体に対して抜き差し容易とするために、外箱体に内設された状態において内箱体の上端が外箱体の上端よりも高くなる構成である。また内箱体の上端寄りには、外箱体に対して抜き差しされる際に把持される把持部が設けられている。
すなわち内箱体の上端は、外箱体に内設された状態において外箱体の上端よりも上方に位置する。そして内箱体の上端寄りには、把持部が設けられている。
したがって内箱体は、外箱体よりも高くなった部分において容易に把持される。そして把持部において容易に把持される。したがって内箱体は、容易に把持され、外箱体に対して容易に抜き差しされる。
【０００９】
請求項３に記載の発明によれば、外箱体は、筒状の外筒部と、その外筒部の底面を塞ぐ外底部とを有する。内箱体は、筒状の内筒部と、その内筒部の底面を塞ぐ内底部とを有する。また上蓋は、外箱体の上側開口部を覆い、かつ内箱体の上側開口部を覆う蓋本体を有する。そして蓋本体の外周縁には、外箱体の上端部外周面を覆う覆い部を有し、蓋本体の裏面には、差込部を有する。そして、その差込部が内箱体の上端部外周面を覆う。
すなわち外箱体は、底面が外底部によって塞がれ、上側開口部が上蓋の蓋本体によって覆われる。そして外箱体の上端部外周面が、上蓋の覆い部によって覆われる。かくして外箱体は、上蓋によって覆い塞がれる。
また外箱体に内設される内箱体は、底面が内底部によって塞がれ、上側開口部が上蓋の蓋本体によって覆われる。そして内箱体の上端外周面が、上蓋の差込部によって覆われる。したがって内箱体も、上蓋によって覆い塞がれる。
したがって内箱体のごみの臭気は、先ず内箱体内に閉じ込められる。そして内箱体から臭気が漏れてしまった場合には、その臭気が外箱体内において閉じ込められる。かくして本発明のごみ箱によると、ごみの臭気が漏れにくい。
【００１０】
請求項４に記載の発明によれば、外箱体に錘が設けられている。
したがって外箱体は、外箱体から内箱体を取出すことで軽くなった際においても、風などによって飛ばされることが防止される。かくして本発明によると外箱体の風などによる紛失を防止できる。
【００１１】
【発明の実施の形態】
本発明の実施の形態を図にしたがって説明する。
ごみ箱１は、図１に示すように上側に上側開口部を有するごみ箱本体１０と、ごみ箱本体１０の上側開口部を覆う上蓋４とを有する。
ごみ箱本体１０は、二重構造であって、外殻部分を構成する外箱体３と、内殻部分を構成する内箱体２とを別々に有する。そして内箱体２には、ごみ袋５が内設されている。
【００１２】
ごみ箱本体１０は、図２に示すように方形状に構成されており、内箱体２が外箱体３よりも一周り小さい方形状に構成されている。
内箱体２と外箱体３は、どちらも樹脂の一体成形品である。そして外箱体３が、図１に示すように筒状の外筒部３０と、外筒部３０の底面を塞ぐ外底部３１とを有する。そして内箱体２が、筒状の内筒部２０と、内筒部２０の底面を塞ぐ内底部２１とを有する。すなわち外箱体３と内箱体２は、どちらも有底筒状に構成された構成になっている。
【００１３】
また外箱体３は、図１に示すように外箱体３を持上げる際に、指が差込まれる把持部３２を左右両側に有する。把持部３２は、外箱体３の外壁の一部を内箱体２へ向けて窪ませることで構成されている。
また外箱体３の外底部３１には、錘３４が設けられている。錘３４は、外箱体３を構成する樹脂材よりも重い材料から構成されている。例えば、金属材料から構成されている。
したがって外箱体３は、内箱体２を取出すことで軽くなった際においても、風などによって飛ばされることが防止される。かくして外箱体３の風などによる紛失が防止される。また錘３４は、外箱体３の転倒をも防止する。
錘３４は、外箱体３を樹脂成形した後に外底部３１に嵌め込まれることで外底部３１に対して一体にされる構成であってもよいし、あるいは外底部３１の樹脂成形時において錘３４をインサート成形することで外底部３１に対して一体にされる構成であってもよい。
【００１４】
また外箱体３と内箱体２の間には、図２に示すように内箱体２の位置を決定する位置決定構造１２が設けられている。位置決定構造１２は、内箱体２の内筒部２０に形成された位置決定部２３と、外箱体３の外筒部３０に形成された位置決定部３３とを備えて構成される。位置決定部２３，３３は、どちらも内側に窪んだ構成であって、位置決定部２３が位置決定部３３に嵌り込む。
位置決定部３３は、図４に示すように内箱体２の上端寄りの途中位置から下端位置までの間において形成されている。位置決定部３３は、上端寄りの途中位置から下方へ延びるに従って除々に内箱体２側へ張り出す。そして中央寄り位置から下端位置までは、内箱体２の位置決定部２３に沿った状態て延出する。したがって内箱体２を外箱体３に嵌め込む際、位置決定構造１２が内箱体２を外箱体３の中心位置に案内する。そして内箱体２が外箱体３に対して位置決めされる。
なお位置決定部２３は、図４に示すように内箱体２の上端位置から下端位置までの間において形成されている。
【００１５】
内箱体２は、図１に示すように外箱体３に内設されている。
そして内箱体２は、図５に示すように外箱体３に内設された状態において内箱体２の上端が外箱体３の上端よりも高くなる構成になっている。したがって内箱体２は、外箱体３の上端よりも高い「はみ出し領域２０ａ」を有する。
また内箱体２の上端寄りには、内箱体２を外箱体３に対して抜き差しする際に把持される把持部２２が設けられている。そして把持部２２は、はみ出し領域２０ａの一部を貫通した貫通孔状に形成されている。
【００１６】
内箱体２と外箱体３の間には、図２に示すように差込隙間１１が形成されている。すなわち差込隙間１１は、内箱体２の外周面と、外箱体３の内周面との間に形成された空隙部によって形成されている。
内箱体２には、図１に示すようにごみ袋５が内設されている。そしてごみ袋５の余り端部５ａ（開口端部）が、内箱体２の上端縁に沿って折返されている。そして折返された余り端部５ａが、差込隙間１１に差込まれている。
【００１７】
上蓋４は、樹脂の一体成形体品であって、図１に示すように外箱体３の上方開口部を覆う蓋本体４０を有する。そして蓋本体４０の外周縁には、図３に示すように覆い部４１が形成されている。また蓋本体４０の裏面には、覆い部４１よりも内側位置において差込部４２が形成されている。
覆い部４１は、図１に示すように蓋本体４０から下方に向けて延出し、外箱体３の上端部外周面を覆う。そして覆い部４１は、図３に示すように蓋本体４０の外周縁に沿って略四角形状に延出して閉じている（四角形の環状）。したがって覆い部４１は、外箱体３の上端部の外周全周を覆う。
【００１８】
差込部４２は、図１に示すように蓋本体４０の裏面から下方へ向けて延出する。そして差込部４２は、上蓋４がごみ箱本体１０に設置されることで、差込隙間１１に差込まれる。そして内箱体２の上端部外周面を覆う。
また差込部４２は、図３に示すように蓋本体４０の外周縁に沿って環状に形成されている。したがって差込部４２は、内箱体２の上端部の外周全周を覆う。
また差込部４２は、図５に示すように差込隙間１１に差込まれることで、ごみ袋５の余り端部５ａを押える。またごみ袋５は、内箱体２の上端縁と蓋本体４０の裏面とによって挟まれる。したがってごみ袋５の余り端部５ａは、差込部４２と蓋本体４０の裏面とによって押えられる。
【００１９】
また差込隙間１１は、差込部４２の厚み寸法との関係で好適な隙間寸法が選択されている。例えば、上蓋４をごみ箱本体１０に対して容易に脱着可能にするために、差込隙間１１の隙間寸法が差込部４２の厚み寸法よりも大きい構成である。
あるいは上蓋４をごみ箱本体１０に対して確実に保持させるために、差込隙間１１の隙間寸法が差込部４２の厚み寸法よりも小さい構成である。そしてこの場合の差込部４２は、差込隙間１１の隙間寸法を拡開させながら差込隙間１１内に差込まれる。したがってごみ袋５の余り端部５ａは、差込部４２と内箱体２によって弾性的に押し挟まれる。
【００２０】
上蓋４は、図１に示すように上蓋４を持上げる際に把持される把持部４３を有する。把持部４３は、蓋本体４０の上面中央部に設けられている。把持部４３は、蓋本体４０の上面との間に指を挿入することができる挿入口４３ａを形成するようにブリッジ構造になっている。
上蓋４は、ごみ箱１の上側開口部を覆い塞ぐ構造になっている。したがって上蓋４を有するごみ箱１は、ごみ箱本体１０の上側開口部を覆い塞ぐことで、室外において好適に利用される構造になっている（外用のごみ箱）。
【００２１】
以上のようにしてごみ箱１が構成される。
すなわちごみ箱本体１０は、図１に示すように外箱体３と内箱体２との間にごみ袋５の余り端部５ａが差込まれる差込隙間１１を有する。そして上蓋４には、ごみ袋５の余り端部５ａを押える差込部４２が設けられている。
したがってごみ袋５の余り端部５ａは、差込隙間１１に差込まれることで、外箱体３の内側に配置され、外側から見えなくなる。そのためごみ箱１は、ごみ袋５の余り端部５ａ（特に余り端部５ａの先端部）を隠すための構造を備え、装飾性の高い構成になっている。
また上蓋４には、差込部４２が設けられている。そして差込部４２は、ごみ袋５の余り端部５ａを押える。そのためごみ袋５の余り端部５ａは、差込部４２によって差込隙間１１内に安定良く保持される。
【００２２】
また上蓋４は、図１に示すようにごみ箱本体１０の上側開口部を覆う。そして上蓋４の差込部４２がごみ袋５の余り端部５ａを押える。そのため上蓋４は、ごみの臭気をごみ袋５内に閉じ込める。
また内箱体２の上端は、外箱体３に内設された状態において外箱体３の上端よりも上方に位置する。そして内箱体２の上端寄りには、把持部２２が設けられている。したがって内箱体２は、外箱体３よりも高くなった部分において容易に把持される。そして把持部２２において容易に把持される。したがって内箱体２は、容易に把持され、外箱体３に対して容易に抜き差しされる。
【００２３】
また外箱体３は、底面が外底部３１によって塞がれ、上側開口部が上蓋４の蓋本体４０によって覆われる。そして外箱体３の上端部外周面が、上蓋４の覆い部４１によって覆われる。かくして外箱体３は、上蓋４によって覆い塞がれる。
また外箱体３に内設される内箱体２は、底面が内底部２１によって塞がれ、上側開口部が上蓋４の蓋本体４０によって覆われる。そして内箱体２の上端外周面が、上蓋４の差込部４２によって覆われる。したがって内箱体２も、上蓋４によって覆い塞がれる。
したがって内箱体２のごみの臭気は、先ず内箱体２内に閉じ込められる。そして内箱体２から臭気が漏れてしまった場合には、その臭気が外箱体３内において閉じ込められる。かくして本形態のごみ箱１によると、ごみの臭気が漏れにくい。
【００２４】
すなわちごみの臭気がごみ箱１から漏れるためには、二度の上昇と二度の下降を必要とする（図５参照）。したがってごみの臭気は、ごみ箱１から漏れにくい。
またごみ箱１は、外箱体３と内箱体２とを備えた二重構造になっている。したがって内箱体２は、外箱体３によって風雨等による劣化が防止されている。また外傷からも保護されている。
また内箱体２は、外箱体３から取出すことで容易に洗浄することもできる。
【００２５】
なお本発明は、上記の実施の形態に限らず、以下の形態であってもよい。
（１）すなわち上記の実施形態は、図２に示すように内箱体２を外箱体３に対して位置決めする位置決定構造１２を有していた。しかし位置決定構造１２に代えて、内底部２１と外底部３１の間に位置決定構造を設ける形態であってもよい。例えば、外底部３１に外底部３１から上方へ突出する外側位置決定部を設け、内底部２１の下側には、外側位置決定部が差込まれる凹部を有する内側位置決定部を設ける形態であってもよい。
（２）また上記の実施形態は、図２に示すように内箱体２と外箱体３がどちらも断面略四角形の筒状に形成された筒部（内筒部２０，外筒部３０）を有していた。しかしこれら筒部が他の構成で構成される形態であっても良い。例えば、筒部が断面円環状、すなわち円筒状に構成される形態であってもよい。あるいは断面多角形状（例えば、三角形、五角形など）に構成される筒状構成であってもよい。
【００２６】
【発明の効果】
本発明に係るごみ箱によれば、ごみ箱本体と、ごみ箱本体の上側開口部を覆う上蓋とを有するごみ箱において、ごみ箱本体に内設されたごみ袋の余り端部（特に余り端部の先端）を隠すことができる。
【図面の簡単な説明】
【図１】ごみ箱の縦断面図である。
【図２】ごみ箱本体の上面図である。
【図３】上蓋の下方図である。
【図４】図１のＡ−Ａ線断面矢印図である。
【図５】図１における差込部近傍の拡大断面図である。
【符号の説明】
１…ごみ箱
２…内箱体
３…外箱体
４…上蓋
５…ごみ袋
５ａ…余り端部
１０…ごみ箱本体
１１…差込隙間
１２…位置決定構造
３４…錘
４０…蓋本体
４１…覆い部
４２…差込部
【図１】
2004299898.tif 000003
【図２】
2004299898.tif 000004
【図３】
2004299898.tif 000005
【図４】
2004299898.tif 000006
【図５】
2004299898.tif 000007